Podtech/llm-jp-corpus-v4-ja_patent huggingface dataset:
【手続補正書】
【提出日】平成19年7月20日(2007.7.20)
【手続補正１】
【補正対象書類名】特許請求の範囲
【補正対象項目名】全文
【補正方法】変更
【補正の内容】
【特許請求の範囲】
【請求項１】
投入メダルの進路切り替え用セレクタに一対のメダル投入用検出手段が設けられ、
回胴の回転中に得られる上記検出手段からの検出出力に基づいて、メダル投入に対するエラー状態を判別するようにしたことを特徴とする遊技機。
【請求項２】
投入メダルの進路切り替え用セレクタに一対のメダル投入用検出手段が設けられ、
回胴の回転中に得られる上記検出手段からの検出出力に基づいて、メダル投入に対するエラー状態が判別されると共に、メダル払い出し用検出手段と、異物侵入用検出手段とが設けられ、
メダル払い出しモードでの上記異物侵入用検出手段からの検出出力に基づいて、上記メダル払い出しのエラー状態が判別されることを特徴とする遊技機。
【請求項３】
メダル払い出し装置を構成するメダルが収容された回転ディスクに設けられたメダル通路に上記異物侵入用検出手段が設けられことを特徴とする請求項２に記載の遊技機。
【請求項４】
上記回胴の回転中に上記検出出力が得られたときは、遊技中の遊技をエラー遊技とすることを特徴とする請求項１乃至３のいずれかに記載の遊技機。
【請求項５】
エラー状態と判別されたときは、１つの遊技単位が終了した段階で、遊技の継続が凍結されることを特徴とする請求項１乃至４のいずれか１項に記載の遊技機。
【請求項６】
１つの遊技単位とは、入賞によるメダル払い出し終了までであることを特徴とする請求項５に記載の遊技機。
【請求項７】
エラー状態と判別されたときは、上記回胴の回転が停止した直後に、遊技の継続が凍結されることを特徴とする請求項１乃至４のいずれか１項に記載の遊技機。
【手続補正書】
【提出日】平成18年11月27日(2006.11.27)
【手続補正１】
【補正対象書類名】特許請求の範囲
【補正対象項目名】全文
【補正方法】変更
【補正の内容】
【特許請求の範囲】
【請求項１】
遊技結果に基づき遊技媒体払い出し状態となった場合に、遊技媒体払い出し制御が実行されるよう構成された遊技機において、
遊技媒体を払い出す遊技媒体払い出し手段と、
遊技媒体払い出し状態となった場合にセットされる遊技媒体払い出しコードを利用して、当該払い出し手段を駆動制御する出力制御情報を生成する出力制御情報生成手段と
を備えたことを特徴とする遊技機。
【請求項２】
前記遊技媒体払い出しコードが参照コードに一致したとき、遊技媒体払い出し用の出力制御情報が生成されるようにしたことを特徴とする請求項１記載の遊技機。
【請求項３】
前記遊技媒体払い出しコードは２ビット以上の特定コードであることを特徴とする請求項１又は２記載の遊技機。
【請求項４】
前記遊技媒体払い出し手段は貯留された遊技媒体を払い出しする遊技媒体払い出し装置を有し、
前記出力制御情報は、当該払い出し装置に設けられた駆動モータに対する駆動制御信号であることを特徴とする請求項１乃至３のいずれかに記載の遊技機。
【手続補正書】
【提出日】平成19年3月22日(2007.3.22)
【手続補正１】
【補正対象書類名】特許請求の範囲
【補正対象項目名】全文
【補正方法】変更
【補正の内容】
【特許請求の範囲】
【請求項１】
所定の始動口への入賞を契機に複数桁の図柄を変動表示を経て停止表示させる図柄表示装置と、
特定入賞領域を含む複数の入球口を有する振分役物とを備えた弾球遊技機であって、
前記図柄表示装置に表示される図柄の組合せが所定の大当たり図柄である場合及び前記振分役物の特定入賞領域に遊技球が入賞した場合のいずれの場合にも大当たりが発生するように形成されているとともに、
前記振分役物の前記特定入賞領域への入賞と、前記図柄表示装置における前記大当たり図柄の表示とが相前後して発生した場合に、同特定入賞領域への入賞又は同大当たり図柄の表示により発生した大当たりの終了後、連続して大当たりが発生するように形成されていることを特徴とする弾球遊技機。
【請求項２】
前記振分役物の前記特定入賞領域への入賞の後に前記図柄表示装置における前記大当たり図柄の表示が発生する場合に、同振分役物の同特定入賞領域への入賞による大当たり遊技終了後に前記図柄表示装置の図柄を停止させ、前記図柄の表示により発生した大当たり遊技を実行することを特徴とする請求項１記載の弾球遊技機。
【手続補正２】
【補正対象書類名】明細書
【補正対象項目名】０００４
【補正方法】変更
【補正の内容】
【０００４】
上記いずれの二種類の弾球遊技機においても、大当たりが発生する条件は一の弾球遊技機につきただ一つであった。したがって、ともすれば遊技が単調に陥りがちであった。
そこで、本発明は、一の弾球遊技機において、大当たりが前記大当たり図柄の表示及び前記特定入賞領域への入賞のいずれかの条件により発生させ得るようにするとともに、大当たりの発生が重複する場合に、後から生じた大当たりが確実に発生するようにすることを目的とする。
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】変更
【補正の内容】
【０００７】
（請求項１）
上記課題に鑑み、本発明のうち請求項１記載の発明は、所定の始動口11への入賞を契機に複数桁の図柄を変動表示を経て停止表示させる図柄表示装置12と、特定入賞領域53を含む複数の入球口を有する振分役物51とを備えた弾球遊技機10であって、前記図柄表示装置12に表示される図柄の組合せが所定の大当たり図柄である場合及び前記振分役物51の特定入賞領域53に遊技球が入賞した場合のいずれの場合にも大当たりが発生するように形成されているとともに、前記振分役物51の前記特定入賞領域53への入賞と、前記図柄表示装置12における前記大当たり図柄の表示とが相前後して発生した場合に、同特定入賞領域53への入賞又は同大当たり図柄の表示により発生した大当たりの終了後、連続して大当たりが発生するように形成されていることを特徴とする。
「始動口」とは、弾球遊技機10の盤面に設けられる、遊技球が進入可能な複数の開口部であって、そこへ遊技球が進入することにより、通常、遊技者に所定個数の遊技球が払い出されるような「入賞口」のうち、下記の図柄表示装置12の作動に係る特別なものをいう。なお、上記始動口11を含む入賞口への遊技球の進入を、以下、「入賞」と称する。また、始動口11は通常一の弾球遊技機10につき１個が設けられることとなっている。
【手続補正６】
【補正対象書類名】明細書
【補正対象項目名】００１１
【補正方法】変更
【補正の内容】
【００１１】
上記二通りの条件は、上述の通り互いに独立したものであるので、同時に、あるいは相次いで発生することもあり得る。このような場合は、いずれの条件も有効とされる。すなわち、この場合は大当たりが少なくとも２回発生することが保証されることとなる。
もちろん、上記二通りの条件を、完全に独立とするのではなく、ある程度従属させるような構成とすることも可能である。たとえば、図柄表示装置12に大当たり図柄が表示される可能性が生じた場合にのみ、振分役物51に遊技球が誘導されるような構成とすることも可能である。
上記構成により、弾球遊技機10において、大当たり発生の条件を二通り設けることも可能となり、弾球遊技機10における遊技性の向上が図られることとなる。
また、大当たり発生の条件が連続して生じた場合に、後の大当たりの発生が保証されることとなっている。更に、後の大当たりの発生が保証されている旨を遊技者に報知する手段（たとえば、ランプによる表示）を、本請求項に係る弾球遊技機10に設けることとしてもよい。
【手続補正７】
【補正対象書類名】明細書
【補正対象項目名】００１２
【補正方法】変更
【補正の内容】
【００１２】
（請求項２）
また、本発明のうち請求項２記載の発明は、請求項１記載の発明の特徴に加え、前記振分役物51の前記特定入賞領域53への入賞の後に前記図柄表示装置12における前記大当たり図柄の表示が発生する場合に、同振分役物51の同特定入賞領域53への入賞による大当たり遊技終了後に前記図柄表示装置12の図柄を停止させ、前記図柄の表示により発生した大当たり遊技を実行することを特徴とする。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】変更
【補正の内容】
【００２０】
本発明は、上記のように構成されているので、以下に記す効果を奏する。
すなわち、本発明の説明によると、一の弾球遊技機において、大当たりが前記大当たり図柄の表示及び前記特定入賞領域への入賞のいずれかの条件により発生させることが可能になる。
【手続補正１６】
【補正対象書類名】明細書
【補正対象項目名】００２１
【補正方法】変更
【補正の内容】
【００２１】
また、大当たりの発生が重複する場合に、後から生じた大当たりが確実に発生するようにすることが可能となる。
【手続補正書】
【提出日】平成19年10月24日(2007.10.24)
【手続補正１】
【補正対象書類名】特許請求の範囲
【補正対象項目名】全文
【補正方法】変更
【補正の内容】
【特許請求の範囲】
【請求項１】
ベッド上に工作ツ−ルが備えられた工作機械の前後左右および天井回りを囲む全閉カバ−装置（１）であり、工作機械（６０）のベッド前後左右面に後枠体の立枠を床面より起立させ、これら前枠体の立枠と後枠体の立枠の合わせ面をボルトで結合し、これら立枠の上部に横桟を四枠状に張り巡らし、前記立枠上の四枠状横桟上の右横桟の中央および左横桟の略中央に透明窓回転支軸（２１）一対を設けるとともに、前記後立枠上に設けられた四枠状横桟上の後方部に１／４円よりは大きく、１／３円よりは小さい左側壁面断面が二重円弧状の透明窓収納用扇状溝（２２）を有し、右側壁面は開放型の後ろド−ムカバ−（２０）を設け、前記透明窓回転支軸に１／６円よりは大きく、１／４円よりは小さい断面が弧状の樹脂製透明窓（３０）を回動自在に軸承させ、前記後立枠上に設けられた四枠状横桟上の後方部に左側面断面が二重円弧状の透明窓収納用扇状溝（４２）を有する右側面後ろド−ムカバ−（４０）をこの右側面後ろド−ムカバ−の透明窓収納用扇状溝４２が前記後ろド−ムカバ−（２０）の左側壁面に設けられた透明窓収納用扇状溝（２２）と対をなすように設け、これら後ろド−ムカバ−（２０）、樹脂製透明窓（３０）および右側面後ろド−ムカバ−（４０）とで断面が略半円状の蒲鉾型天井ド−ムカバ−を構成し、前記樹脂製透明窓（３０）を下方に回動させて工作機械の作業部を閉じた状態では樹脂製透明窓の端部が前記前枠体の立枠上の横桟上に接触し、この樹脂製透明窓を上方に回動させて工作機械の作業部を開いた状態では樹脂製透明窓が前記後ろド−ムカバ−（２０）および右側面後ろド−ムカバ−（４０）の透明窓収納用円弧状溝（２２，４２）内に収納される構造とし、前記工作機械のベッドの左右前後を囲む前記前枠体の立枠と工作機械の後方を囲む後枠体の立枠の前面にパネル板を張り巡らして工作機械のベッドを囲繞（１０）した構造の、工作機械の全閉カバ−装置（１）。
【請求項２】
前記全閉カバ−装置の透明窓収納用後ろド−ムカバ−（２０）および右側面後ろド−ムカバ−（４０）は不透明部材で構成され、この透明窓収納用後ろド−ムカバ−左側面および右側面後ろド−ムカバ−左側面は、略半円状の不透明被覆材（５０）で被覆されていることを特徴とする請求項１に記載の工作機械の全閉カバ−装置（１）。
【手続補正２】
【補正対象書類名】明細書
【補正対象項目名】０００９
【補正方法】変更
【補正の内容】
【０００９】
請求項１の発明は、ベッド上に工作ツ−ルが備えられた工作機械の前後左右および天井回りを囲む全閉カバ−装置（１）であり、工作機械（６０）のベッド前後左右面に後枠体の立枠を床面より起立させ、これら前枠体の立枠と後枠体の立枠の合わせ面をボルトで結合し、これら立枠の上部に横桟を四枠状に張り巡らし、前記立枠上の四枠状横桟上の右横桟の中央および左横桟の略中央に透明窓回転支軸（２１）一対を設けるとともに、前記後立枠上に設けられた四枠状横桟上の後方部に１／４円よりは大きく、１／３円よりは小さい左側壁面断面が二重円弧状の透明窓収納用扇状溝（２２）を有し、右側壁面は開放型の後ろド−ムカバ−（２０）を設け、前記透明窓回転支軸に１／６円よりは大きく、１／４円よりは小さい断面が弧状の樹脂製透明窓（３０）を回動自在に軸承させ、前記後立枠上に設けられた四枠状横桟上の後方部に左側面断面が二重円弧状の透明窓収納用扇状溝（４２）を有する右側面後ろド−ムカバ−（４０）をこの右側面後ろド−ムカバ−の透明窓収納用扇状溝４２が前記後ろド−ムカバ−（２０）の左側壁面に設けられた透明窓収納用扇状溝（２２）と対をなすように設け、これら後ろド−ムカバ−（２０）、樹脂製透明窓（３０）および右側面後ろド−ムカバ−（４０）とで断面が略半円状の蒲鉾型天井ド−ムカバ−を構成し、前記樹脂製透明窓（３０）を下方に回動させて工作機械の作業部を閉じた状態では樹脂製透明窓の端部が前記前枠体の立枠上の横桟上に接触し、この樹脂製透明窓を上方に回動させて工作機械の作業部を開いた状態では樹脂製透明窓が前記後ろド−ムカバ−（２０）および右側面後ろド−ムカバ−（４０）の透明窓収納用円弧状溝（２２，４２）内に収納される構造とし、前記工作機械のベッドの左右前後を囲む前記前枠体の立枠と工作機械の後方を囲む後枠体の立枠の前面にパネル板を張り巡らして工作機械のベッドを囲繞（１０）した構造の、工作機械の全閉カバ−装置（１）を提供するものである。
【手続補正３】
【補正対象書類名】明細書
【補正対象項目名】００１０
【補正方法】変更
【補正の内容】
【００１０】
請求項２の発明は、前記全閉カバ−装置の透明窓収納用後ろド−ムカバ−（２０）および右側面後ろド−ムカバ−（４０）は不透明部材で構成され、この透明窓収納用後ろド−ムカバ−左側面および右側面後ろド−ムカバ−左側面は、略半円状の不透明被覆材（５０）で被覆されていることを特徴とする請求項１に記載の工作機械の全閉カバ−装置（１）を提供するものである。
【手続補正書】
【提出日】平成18年12月27日(2006.12.27)
【手続補正１】
【補正対象書類名】明細書
【補正対象項目名】００１０
【補正方法】変更
【補正の内容】
【００１０】
機械的な制御ユニットと連結装置との空間的な分離に基づく別の利点によれば、打ち抜き装置における運動量が減少される。このことは特に１分あたりの極めて大きなストローク数で顕著である。個々のグリーンシートの加工時間を短縮することができる。
【手続補正２】
【補正対象書類名】明細書
【補正対象項目名】００１６
【補正方法】変更
【補正の内容】
【００１６】
制御ユニットは、有利にはニューマチック式のアクチュエータを備えている。このアクチュエータは、室内で支承された球によって形成することができ、この球はニューマチックシリンダにおけるピストンと同様に圧縮空気によって押圧ロッドに向かって運動される。押圧ロッド運動は、フレキシブルな結合手段を介して連結装置に伝達することができる。選択的に連結装置の切換運動だけでなく、ニューマチック式のアクチュエータによる打ち抜き運動もポンチに伝達することができる。このような実施形態では、ポンチを加速するために伝達される全出力を、フレキシブルな結合手段から伝達することができる。したがって有利には、ポンチ支持装置は、リニア式駆動装置、たとえば単数または複数の偏心駆動装置、リニアモータ、カム駆動装置またはそれに類するものと結合することができるので、全てのポンチの、打ち抜きに必要な出力は、ポンチ支持装置と直接的に結合された単個の駆動装置に起因するものとなっている。
【手続補正書】
【提出日】平成19年4月4日(2007.4.4)
【手続補正１】
【補正対象書類名】特許請求の範囲
【補正対象項目名】全文
【補正方法】変更
【補正の内容】
【特許請求の範囲】
【請求項１】
印刷データに基づいて印刷を行うネットワークプリンタと、前記ネットワークプリンタを管理するプリンタ管理端末とを通信可能に接続し、前記プリンタ管理端末の認証を得て前記ネットワークプリンタにより印刷を行うシステムであって、
前記ネットワークプリンタは、前記印刷データを受信する印刷データ受信手段と、前記プリンタ管理端末の認証を得て印刷を行う認証印刷手段と、前記プリンタ管理端末と通信可能であるか否かを監視する通信状態監視手段と、前記印刷データを記憶する印刷データ記憶手段とを有し、
前記認証印刷手段は、前記通信状態監視手段の監視結果が通信不能であるときは、前記印刷データ受信手段で受信した印刷データを前記印刷データ記憶手段に記憶し、前記通信状態監視手段の監視結果が通信可能となったときは、前記印刷データ記憶手段の印刷データに含まれているユーザ情報を認証要求とともに前記プリンタ管理端末に送信し、前記プリンタ管理端末からの認証通知を受信したときは、前記印刷データ記憶手段の印刷データに基づいて印刷を行い、
前記プリンタ管理端末は、前記ネットワークプリンタの利用適格を認証する認証情報を記憶する認証情報記憶手段と、前記ネットワークプリンタの利用適格を認証する利用適格認証手段とを有し、
前記利用適格認証手段は、前記認証要求とともに前記ユーザ情報を受信し、受信したユーザ情報および前記認証情報記憶手段の認証情報に基づいて前記ネットワークプリンタの利用適格があるか否かを判定し、前記ネットワークプリンタの利用適格があると判定したときは、前記ネットワークプリンタに前記認証通知を送信することを特徴とする認証印刷システム。
【請求項２】
請求項１において、
ユーザの利用に供するユーザ端末を通信可能に接続し、
前記ネットワークプリンタは、前記通信状態監視手段の監視結果を含む監視情報を前記ユーザ端末に送信する監視情報送信手段を有し、
前記ユーザ端末は、前記監視情報を受信し、受信した監視情報に基づいて通信状態をユーザに通知するようになっていることを特徴とする認証印刷システム。
【請求項３】
請求項１および２のいずれか１項において、
前記ネットワークプリンタは、印刷の進行状況を記憶する印刷状況記憶手段を有し、
前記認証印刷手段は、前記プリンタ管理端末に前記認証要求を送信したときは、前記印刷データと対応付けて印刷開始を前記印刷状況記憶手段に記憶し、印刷が完了したときは、前記印刷データと対応付けて印刷終了を前記印刷状況記憶手段に記憶し、
前記印刷状況記憶手段の印刷状況を起動時に判定し、前記印刷終了が記憶されていない印刷データを削除するようになっていることを特徴とする認証印刷システム。
【請求項４】
印刷データを受信する印刷データ受信手段と、外部からの認証を得て印刷を行う認証印刷手段と、外部と通信可能であるか否かを監視する通信状態監視手段と、前記印刷データを記憶する印刷データ記憶手段とを備え、
前記認証印刷手段は、前記通信状態監視手段の監視結果が通信不能であるときは、前記印刷データ受信手段で受信した印刷データを前記印刷データ記憶手段に記憶し、前記通信状態監視手段の監視結果が通信可能となったときは、前記印刷データ記憶手段の印刷データに含まれているユーザ情報を認証要求とともに送信し、認証通知を受信したときは、前記印刷データ記憶手段の印刷データに基づいて印刷を行うことを特徴とするネットワークプリンタ。
【請求項５】
請求項４において、
前記通信状態監視手段の監視結果を含む監視情報を送信する監視情報送信手段を備えることを特徴とするネットワークプリンタ。
【請求項６】
印刷データを受信する印刷データ受信手段、外部からの認証を得て印刷を行う認証印刷手段、および外部と通信可能であるか否かを監視する通信状態監視手段として実現される処理をコンピュータに実行させるためのプログラムを含み、
前記認証印刷手段は、前記通信状態監視手段の監視結果が通信不能であるときは、前記印刷データ受信手段で受信した印刷データを印刷データ記憶手段に記憶し、前記通信状態監視手段の監視結果が通信可能となったときは、前記印刷データ記憶手段の印刷データに含まれているユーザ情報を認証要求とともに送信し、認証通知を受信したときは、前記印刷データ記憶手段の印刷データに基づいて印刷を行うことを特徴とするプリンタ用プログラム。
【請求項７】
印刷データに基づいて印刷を行うネットワークプリンタと、前記ネットワークプリンタを管理するプリンタ管理端末とを通信可能に接続し、前記プリンタ管理端末の認証を得て前記ネットワークプリンタにより印刷を行う方法であって、
前記ネットワークプリンタに対しては、
前記印刷データを受信する印刷データ受信ステップと、前記プリンタ管理端末の認証を得て印刷を行う認証印刷ステップと、前記プリンタ管理端末と通信可能であるか否かを監視する通信状態監視ステップとを含み、
前記認証印刷ステップは、前記通信状態監視ステップの監視結果が通信不能であるときは、前記印刷データ受信ステップで受信した印刷データを印刷データ記憶手段に記憶し、前記通信状態監視ステップの監視結果が通信可能となったときは、前記印刷データ記憶手段の印刷データに含まれているユーザ情報を認証要求とともに前記プリンタ管理端末に送信し、前記プリンタ管理端末からの認証通知を受信したときは、前記印刷データ記憶手段の印刷データに基づいて印刷を行い、
前記プリンタ管理端末に対しては、
前記ネットワークプリンタの利用適格を認証する利用適格認証ステップを含み、
前記利用適格認証ステップは、前記認証要求とともに前記ユーザ情報を受信し、受信したユーザ情報および認証情報記憶手段の認証情報に基づいて前記ネットワークプリンタの利用適格があるか否かを判定し、前記ネットワークプリンタの利用適格があると判定したときは、前記ネットワークプリンタに前記認証通知を送信することを特徴とする認証印刷方法。
【手続補正書】
【提出日】平成19年6月15日(2007.6.15)
【手続補正１】
【補正対象書類名】特許請求の範囲
【補正対象項目名】全文
【補正方法】変更
【補正の内容】
【特許請求の範囲】
【請求項１】
少なくとも１面上にインキ−受容層がコーティングされた支持体を含んでなり、該インキ−受容層はサブミクロンシリカならびにホウ酸もしくはホウ酸塩を用いて硬膜されたビニルエステルモノマー単位及びエチレン性不飽和カチオン性モノマー単位を含んでなる少なくとも部分的に加水分解されたコポリマーを含有し、該エチレン性不飽和カチオン性モノマー単位が第４級アンモニウム塩又は第４級ホスホニウム塩であり、該第４級アンモニウム塩がＮ，Ｎ−ジアルケニル−Ｎ，Ｎ−ジアルキル−アンモニウム塩であることを特徴とするインキ−受容材料。
【請求項２】
サブミクロンシリカ粒子、ビニルエステルモノマー単位、エチレン性不飽和カチオン性モノマー単位を含んでなる少なくとも部分的に加水分解されたコポリマーならびにホウ酸もしくはホウ酸塩を含有する分散液で、少なくもと１面上において支持体をコーティングし、それによりホウ酸もしくはホウ酸塩で硬膜されたインキ−受容層を形成する段階を含んでなり、該エチレン性不飽和カチオン性モノマー単位が第４級アンモニウム塩又は第４級ホスホニウム塩であり、該第４級アンモニウム塩がＮ，Ｎ−ジアルケニル−Ｎ，Ｎ−ジアルキル−アンモニウム塩であることを特徴とするインキ−受容材料の製造法。
【手続補正書】
【提出日】平成18年12月26日(2006.12.26)
【手続補正１】
【補正対象書類名】特許請求の範囲
【補正対象項目名】全文
【補正方法】変更
【補正の内容】
【特許請求の範囲】
【請求項１】
シンクロトロンにおいて、バンチにバリアー電圧を印加する誘導加速セルと、前記誘導加速セルを駆動するスイッチング電源、及び前記スイッチング電源のオン及びオフを制御するゲート信号パターンを生成するパターン生成器、前記ゲート信号パターンの基になるゲート親信号のオン及びオフを制御するデジタル信号処理装置からなるインテリジェント制御装置より構成されることを特徴とするシンクロトロン振動周波数制御装置。
【請求項２】
シンクロトロンにおいて、バンチ頭部に印加するバンチの進行軸方向と逆向きの誘導電圧である負のバリアー電圧、及びバンチ尾部に印加するバンチの進行軸方向と同一方向の誘導電圧である正のバリアー電圧よりなるバリアー電圧を印加する誘導加速セルと、前記誘導加速セルを駆動するスイッチング電源、及び前記スイッチング電源のオン及びオフを制御するゲート信号パターンを生成するパターン生成器、前記ゲート信号パターンの基になるゲート親信号のオン及びオフを制御するデジタル信号処理装置からなるインテリジェント制御装置よって、バンチに間欠的にバリアー電圧を印加することを特徴とするシンクロトロン振動周波数の制御方法。
【手続補正２】
【補正対象書類名】明細書
【補正対象項目名】００５２
【補正方法】変更
【補正の内容】
【００５２】
本発明は、上記課題を解決するために、シンクロトロンにおいて、バンチ３の設計軌道２が中にある環状の真空ダクトに接続され、バンチ３にバリアー電圧９を印加する誘導加速セル６と、前記誘導加速セル６を駆動するスイッチング電源５ｂ、及び前記スイッチング電源５ｂのオン及びオフを制御するゲート信号パターン８ａを生成するパターン生成器８ｂ、前記ゲート信号パターン８ａの基になるゲート親信号８ｃを、前記真空ダクトの中にあるバンチモニター７からのバンチ３の通過の信号である通過シグナル７ａによって、バンチ３の周回に同期させ、予め可変遅延時間計算機１３ａに与えられていたバリアー電圧９の中止パターン１４にしたがって、一定のバンチ３の周回数にバリアー電圧９を中止するデジタル信号処理装置８ｄからなるインテリジェント制御装置８より構成されるシンクロトロン振動周波数を制御することを特徴とするシンクロトロン振動周波数制御装置５の構成とした。また、シンクロトロンにおいて、バンチ頭部３ｄに印加するバンチ３の進行軸方向３ａと逆向きの誘導電圧である負のバリアー電圧９ａ、及びバンチ尾部３ｅに印加するバンチ３の進行軸方向と同一方向の誘導電圧である正のバリアー電圧９ｂよりなるバリアー電圧９を印加する誘導加速セル６と、前記誘導加速セル６を駆動するスイッチング電源５ｂ、及び前記スイッチング電源５ｂのオン及びオフを制御するゲート信号パターン８ａを生成するパターン生成器８ｂ、前記ゲート信号パターン８ａの基になるゲート親信号８ｃのオン及びオフを制御するデジタル信号処理装置８ｄからなるインテリジェント制御装置８よって、バンチ３に間欠的にバリアー電圧９を印加することを特徴とするシンクロトロン振動周波数の制御方法の構成とした。
【手続補正書】
【提出日】平成18年9月5日(2006.9.5)
【手続補正１】
【補正対象書類名】特許請求の範囲
【補正対象項目名】全文
【補正方法】変更
【補正の内容】
【特許請求の範囲】
【請求項１】
神経系障害についての少くとも１つのマーカーを記憶するメモリーと、但し、該少なくとも１つのマーカーは、所定の脳形態の予め定められた座標の複数のセットにおける予め決定された機能的活動のプロファイルを含む、
所定の脳形態の予め定められた座標の複数のセットに対応する、患者の脳の複数の関心のある領域の各々についての、患者の機能的活動のプロファイルを作るための、患者の脳の機能的活動に対応するデーターを受容するプリプロセッサーと、
患者プロファイルを少くとも１つのマーカーと相互相関させるプロセッサーと、
神経系障害の存在および進行度の少なくとも１を相互相関の共分散度の関数として決定するポストプロセッサーと
を含むところの、患者における神経系障害の存在または進行度を決定するための装置。
【請求項２】
プリプロセッサーに与えられるデーターを作成するために患者の脳をスキャンニングするためのスキャナーをさらに含む請求項１に従う装置。
【手続補正２】
【補正対象書類名】明細書
【補正対象項目名】発明の名称
【補正方法】変更
【補正の内容】
【発明の名称】神経系障害の存在または進行度を決定するための装置
【手続補正３】
【補正対象書類名】明細書
【補正対象項目名】００１２
【補正方法】変更
【補正の内容】
【００１２】
この目的は、本発明に従い、所定の脳形態の、予め定められた座標の複数のセットにおける予め決定された機能的活動のプロファイルを含むところの、神経系障害についての少なくとも１つのマーカーを記憶するメモリーを含む装置を提供することによって達成できる。プリプロセッサ−は、所定の脳形態の、予め定められた座標の複数のセットに対応する、患者の脳の複数の関心のある領域の各々についての機能的活動の、患者プロファイルを作るために、患者の脳の機能的活動に対応したデーターを受容する。プロセッサーは患者プロファイルを少なくとも１つのマーカーと相互相関させ、ポストプロセッサーは神経系障害の存在および進行度の少なくとも１を、該相互相関の共分散度(degreeof covariance)の関数として決定する。
【手続補正書】
【提出日】平成19年10月3日(2007.10.3)
【手続補正１】
【補正対象書類名】特許請求の範囲
【補正対象項目名】請求項１１
【補正方法】変更
【補正の内容】
【請求項１１】
前記第１ストレージシステムは、前記第１記憶領域に書き込まれるべきデータを一時的に格納するキャッシュを備え、
前記第１プロセッサは、
前記複写を指示する前に、前記第１ストレージシステムに、前記キャッシュに格納されている前記第１記憶領域に書き込まれるべきデータを前記第１記憶領域に書き込む指示を、前記管理インタフェースを介して送信し、
前記第１ストレージシステムに、前記複写が開始された後、前記第１記憶領域に書き込まれるべきデータを前記キャッシュに書き込まない旨の指示を、前記管理インタフェースを介して送信することを特徴とする請求項９に記載の管理計算機。
【手続補正２】
【補正対象書類名】明細書
【補正対象項目名】００１７
【補正方法】変更
【補正の内容】
【００１７】
次に、データマイグレーションプログラム５５５は、記憶領域１０１と仮想記憶領域１０２とをペアとして設定する（６３）。ペアとは、データコピーが実行される二つの記憶領域の組であり、二つの記憶領域の一方がコピー元、他方がコピー先である。図１の例では、記憶領域１０１がコピー元、仮想記憶領域１０２がコピー先である。このペアにおいてコピーが実行されると、記憶領域１０１に格納されているデータは、仮想記憶領域１０２にコピーされる。そのデータは、実際には、記憶領域２０１に格納される。データマイグレーションプログラム５５５は、パス切替プログラム５０のパス情報に記憶領域２０１を登録する（６４）。
【手続補正３】
【補正対象書類名】明細書
【補正対象項目名】００２１
【補正方法】変更
【補正の内容】
【００２１】
切替終了後、データマイグレーションプログラム５５５は、記憶領域１０１と仮想記憶領域１０２のペア設定を解除し（６８）、さらに、記憶領域２０１と仮想記憶領域１０２との対応を解除する（６９）。
【手続補正４】
【補正対象書類名】明細書
【補正対象項目名】０１２０
【補正方法】変更
【補正の内容】
【０１２０】
次に、ＤＭプログラム５５５は、計算機１０のパス切替プログラム５０に対して、パス情報５１の第１のパスとして記憶領域２０１を設定するように指示する（８２６）。パス切替プログラム５０は、パス情報５１を、図３（Ｃ）に示すように更新する。パス情報５１が更新されると、それ以後、アプリケーションプログラム１５が発行するリードライト要求は、パス切替プログラム５０によって、データの移行が完了した新しい記憶領域２０１に発行される。パス切替プログラム５０は、パス情報５１の更新を完了すると、ＤＭプログラム５５５に、その完了を通知する。
【手続補正５】
【補正対象書類名】明細書
【補正対象項目名】０１２９
【補正方法】変更
【補正の内容】
【０１２９】
本実施の形態の計算機システムは、第１の実施の形態の計算機システム（図２）の２台のＦＣスイッチ２０及び３０に代えて、一台のＩＰスイッチ２１を備える。さらに、本実施の形態の計算機システムは、ＦＣインタフェース１３、１１０、１１５、２１０及び２１５に代えて、ＩＰインタフェース１４、１１１、１１６、２１１、２１６を備える。さらに、本実施の形態の計算機１０は、パス切替プログラム５０及びパス情報５１を保持しない。
【手続補正６】
【補正対象書類名】明細書
【補正対象項目名】０１３９
【補正方法】変更
【補正の内容】
【０１３９】
書換ビット２６３は、パケットの発行先を書換発行先２６４に書き換えるか否かを示すフラグである。書換ビット２６３が「１」であるとき、パス切替モジュール２５は、パケットの発行元及び発行先がそれぞれ発行元２６１及び発行先２６２と一致するか否かを判定し、これらが一致するとき、パケットの発行先を書換発行先２６４に書き換える。
【手続補正７】
【補正対象書類名】明細書
【補正対象項目名】０１５０
【補正方法】変更
【補正の内容】
【０１５０】
第３の実施の形態の計算機システムの構成（図１１）は、基本的に、第１の実施の形態の計算機システム（図２）と同じである。ただし、第３の実施の形態のストレージシステム２００は、さらに、記憶領域切替プログラム２５９及び仮想記憶領域２０２を備える。また、第３の実施の形態の管理計算機５００のメモリ５５０には、管理テーブル５５７が格納される（図１２参照）。
【手続補正８】
【補正対象書類名】明細書
【補正対象項目名】０１６１
【補正方法】変更
【補正の内容】
【０１６１】
第１の実施の形態では、コピーが完了するまで、計算機１０でのパスの切り替えを行うことができなかった。このため、第１の実施の形態のパス切替プログラム５０は、コピーの完了を正しく把握する必要があった。しかし、第３の実施の形態によれば、以上のように、計算機１０が記憶領域１０１にライト要求を発行しても、仮想記憶領域２０２にライト要求を発行しても、結果として、必ず記憶領域２０１にデータが書き込まれる。このため、本実施の形態のパス切替プログラム５０は、ストレージシステムのコピーの状態に関係なく、パスをいつでも切り替えることができる。
【手続補正９】
【補正対象書類名】明細書
【補正対象項目名】０１８４
【補正方法】変更
【補正の内容】
【０１８４】
ＤＭプログラム５５５は、計算機１０のパス切替プログラム５０からパスを切り替えた旨の通知を受信すると、データコピー制御プログラム１５３に対して、記憶領域１０１と仮想記憶領域２０１のペア関係を解除するように指示する（１３３８）。ただし、データコピーが完了する前にパスが切り替えられた場合、ＤＭプログラム５５５は、データコピーが完了した後で、ペア関係の解除を指示する。
【手続補正書】
【提出日】平成18年12月20日(2006.12.20)
【手続補正１】
【補正対象書類名】特許請求の範囲
【補正対象項目名】全文
【補正方法】変更
【補正の内容】
【特許請求の範囲】
【請求項１】
印刷装置に装着されているインクカートリッジの種別を取得する取得手段と、
前記取得手段で取得された前記インクカートリッジの種別に応じて、前記インクカートリッジの状態確認及び位置調整操作の少なくともいずれかを実行するためのテストデータを生成するデータ生成手段と、
前記データ生成手段により生成した前記テストデータを前記印刷装置に送信して印刷させるテスト印刷手段と、
を有することを特徴とする印刷制御装置。
【請求項２】
前記テストデータに基づく前記印刷装置における印刷結果を検証するための画像を表示部に表示させる表示制御手段を更に有することを特徴とする請求項１に記載の印刷制御装置。
【請求項３】
前記取得手段は、前記印刷装置に装着されているインクカートリッジの情報を前記印刷装置から受信して当該インクカートリッジの種別を取得することを特徴とする請求項１又は２に記載の印刷制御装置。
【請求項４】
前記取得手段は、ユーザの指示に基づいて前記インクカートリッジの種別を取得することを特徴とする請求項１又は２に記載の印刷制御装置。
【請求項５】
前記インクカートリッジの状態確認及び位置調整操作の少なくともいずれかを実行するためのテストデータを複数種記憶する記憶手段を更に有し、
前記データ生成手段は、前記記憶手段に記憶されている前記複数種のテストデータから選択されたテストデータにより前記テストデータを生成することを特徴とする請求項１に記載の印刷制御装置。
【請求項６】
前記データ生成手段は、前記インクカートリッジのノズルチェックが指示されると、各ノズルからのインク吐出の有無を検査するためのノズルチェックパターンを生成することを特徴とする請求項１に記載の印刷制御装置。
【請求項７】
前記データ生成手段は、前記インクカートリッジのヘッド位置調整が指示されると、インクカートリッジの位置調整を行うための位置調整用パターンを生成することを特徴とする請求項１に記載の印刷制御装置。
【請求項８】
前記印刷装置は複数のインクカートリッジを同時に装着可能であり、かつ前記複数の種類のインクカートリッジを個別に着脱することが可能であることを特徴とする請求項１に記載の印刷制御装置。
【請求項９】
前記印刷装置は１つのカートリッジが装着されていても印刷可能であることを特徴とする請求項８に記載の印刷制御装置。
【請求項１０】
前記取得手段は、前記インクカートリッジそれぞれについて装着の有無と種別を示す情報を取得することを特徴とする請求項９に記載の印刷制御装置。
【請求項１１】
前記インクカートリッジは、インクタンクと印刷用ヘッドとが一体に形成されたカートリッジであることを特徴とする請求項１乃至８のいずれか１項に記載の印刷制御装置。
【請求項１２】
印刷装置に装着されているインクカートリッジの種別を取得する取得工程と、
前記取得工程で取得された前記インクカートリッジの種別に応じて、前記インクカートリッジの状態確認及び位置調整操作の少なくともいずれかを実行するためのテストデータを生成するデータ生成工程と、
前記データ生成工程で生成した前記テストデータを前記印刷装置に送信して印刷させるテスト印刷工程と、
を有することを特徴とする印刷制御方法。
【請求項１３】
前記取得工程では、前記印刷装置の装着されているインクカートリッジの情報を前記印刷装置から受信して当該インクカートリッジの種別を取得することを特徴とする請求項１２に記載の印刷制御方法。
【請求項１４】
前記取得工程では、ユーザの指示に基づいて前記インクカートリッジの種別を取得することを特徴とする請求項１２に記載の印刷制御方法。
【請求項１５】
前記インクカートリッジの状態確認及び位置調整操作の少なくともいずれかを実行するためのテストデータを複数種メモリに記憶しておき、前記データ生成工程では、前記メモリに記憶されている前記複数種のテストデータから選択されたテストデータにより前記テストデータを生成することを特徴とする請求項１２に記載の印刷制御方法。
【請求項１６】
前記データ生成工程では、前記インクカートリッジのノズルチェックが指示されると、各ノズルからのインク吐出の有無を検査するためのノズルチェックパターンを生成することを特徴とする請求項１２に記載の印刷制御方法。
【請求項１７】
前記データ生成工程では、前記インクカートリッジのヘッド位置調整が指示されると、インクカートリッジの位置調整を行うための位置調整用パターンを生成することを特徴とする請求項１２に記載の印刷制御方法。
【請求項１８】
前記印刷装置は複数の種類のインクカートリッジを同時に装着可能であり、かつ前記複数の種類のインクカートリッジを個別に着脱することが可能であることを特徴とする請求項１２に記載の前記印刷制御方法。
【請求項１９】
前記印刷装置は１つのインクカートリッジが装着されていても印刷可能であることを特徴とする請求項１８に記載の前記印刷制御方法。
【請求項２０】
前記取得工程は前記インクカートリッジそれぞれについて装着の有無と種別を示す情報を取得することを特徴とする請求項１９に記載の印刷制御方法。
【請求項２１】
前記インクカートリッジは、インクタンクと印刷用ヘッドとが一体に形成されたカートリッジであることを特徴とする請求項１２乃至２０のいずれか１項に記載の印刷制御方法。
【請求項２２】
印刷装置に装着されているインクカートリッジの種別を取得する取得工程と、
前記取得工程で取得された前記インクカートリッジの種別に応じて、前記インクカートリッジの状態確認及び位置調整操作の少なくともいずれかを実行するためのテストデータを生成するデータ生成工程と、
前記データ生成工程により生成した前記テストデータを前記印刷装置に送信する送信工程とをコンピュータに実行させることを特徴とするプリンタ制御プログラム。
【請求項２３】
装着されているインクカートリッジの種別を取得する取得手段と、
前記取得手段で取得された前記インクカートリッジの種別に応じて、前記インクカートリッジの状態確認及び位置調整操作の少なくともいずれかを実行するためのテストデータを生成するデータ生成手段と、
前記データ生成手段により生成した前記テストデータに基づいて印刷を行うテスト印刷手段と、
を有することを特徴とする印刷装置。
【手続補正２】
【補正対象書類名】明細書
【補正対象項目名】０００９
【補正方法】変更
【補正の内容】
【０００９】
本発明の一態様に係るプリンタ制御プログラムは以下のような構成を備える。即ち、
印刷装置に装着されているインクカートリッジの種別を取得する取得工程と、
前記取得工程で取得された前記インクカートリッジの種別に応じて、前記インクカートリッジの状態確認及び位置調整操作の少なくともいずれかを実行するためのテストデータを生成するデータ生成工程と、
前記データ生成工程により生成した前記テストデータを前記印刷装置に送信する送信工程とをコンピュータに実行させることを特徴とする。
【手続補正書】
【提出日】平成19年3月16日(2007.3.16)
【手続補正１】
【補正対象書類名】特許請求の範囲
【補正対象項目名】全文
【補正方法】変更
【補正の内容】
【特許請求の範囲】
【請求項１】
照明用光源とコンピュータコントロールとを有し、所定数の区分されたグレイ濃淡度を有する所定のグレイ濃淡範囲内でカラーディスプレイが可能であり、入力イメージ信号に対応するイメージが高輝度イメージ又は暗いイメージである場合には、該入力イメージ信号が前記所定数のグレイ濃淡度より少ない第１の数の区分されたグレイ濃淡度を有するようになるディスプレイ装置においてディスプレイされるイメージのコントラストを制御する方法であって、
入力イメージ信号の輝度情報及びカラー情報を処理して前記第１の数の区分されたグレイ濃淡度を求め、
前記入力イメージが高輝度イメージ又は暗いイメージである場合には、前記照明光源の光量を調節して前記第１の数の区分されたグレイ濃淡度を該前記第１の数の区分されたグレイ濃淡度より多い第２の数の区分されたグレイ濃淡度に変更する、
ことを特徴とするディスプレイされるイメージのコントラストを制御する方法。
【請求項２】
請求項１に記載した方法であって、
照明光源の光量を調節する前記段階は、
入力イメージ信号に対応するイメージが暗いイメージである場合には光量を減少させ、
入力イメージ信号に対応するイメージが高輝度イメージである場合には光量を増加させる
ものであるディスプレイされるイメージのコントラストを制御する方法。
【請求項３】
照明用光源とコンピュータコントロールとを有するディスプレイ装置におけるディスプレイイメージのコントラストを制御する方法であって、
前記コンピュータコントロールにより入力イメージ信号の輝度情報及びカラー情報を処理して、入力イメージ信号におけるグレイの濃淡度を求め、
前記入力イメージ信号に対応するイメージが暗いイメージである場合には前記照明光源からの光量を減少させ、前記入力イメージ信号に対応するイメージが高輝度イメージである場合には前記照明光源からの光量を増加させて、前記入力イメージ信号に対応するイメージのディスプレイにおけるグレイ濃淡度の数を増加させる、
ことを特徴とするディスプレイイメージのコントラストを制御する方法。
【請求項４】
イメージをディスプレイするディスプレイ装置であって、
ディスプレイと、
照明用光源と、
コンピュータコントロールと、
を備え、
前記コンピュータコントロールは、輝度情報及びカラー情報を含む入力信号を受け、該入力信号におけるグレイ濃淡度を求め、高輝度の場合には前記照明用光源からの光量を増加させ、低輝度の場合には前記照明用光源からの光量を減少させて、前記入力信号に対応して前記ディスプレイ上にディスプレイされるイメージのグレイ濃淡度の数を増加させるものである、
ことを特徴とするディスプレイ装置。
【請求項５】
照明用光源とコンピュータコントロールとを有するディスプレイ装置におけるディスプレイイメージのコントラストを制御する方法であって、
前記コンピュータコントロールにより入力イメージ信号の輝度情報及びカラー情報を処理して、入力イメージ信号に使用されているグレイの濃淡度を求め、
前記入力イメージ信号に対応するイメージが暗いイメージであるか又は高輝度イメージである場合には前記照明光源からの光量を調節して、前記入力イメージ信号に対応するイメージのディスプレイにおけるグレイ濃淡度の数を増加させる、
ことを特徴とするディスプレイイメージのコントラストを制御する方法。
【請求項６】
イメージをディスプレイするディスプレイ装置であって、
ディスプレイと、
照明用光源と、
コンピュータコントロールと、
を備え、
前記コンピュータコントロールは、輝度情報及びカラー情報を含む入力信号を受け、該入力信号が有するグレイ濃淡度を求め、輝度が高輝度であるか又は暗い場合には、前記照明用光源からの光量を調節して、前記入力信号に対応して前記ディスプレイ上にディスプレイされるグレイ濃淡度の数を増加させる、
ことを特徴とするディスプレイ装置。
【請求項７】
照明用光源とコンピュータコントロールとを有し、所定数の区分されたグレイ濃淡度を有する所定のグレイ濃淡範囲内でカラーディスプレイが可能であり、該入力イメージ信号が前記所定数のグレイ濃淡度より少ない第１の数の区分されたグレイ濃淡度を有するようになるディスプレイ装置においてディスプレイされるイメージのコントラストを制御する方法であって、
入力イメージ信号の輝度情報及びカラー情報を処理して前記第１の数の区分されたグレイ濃淡度を求め、
前記照明光源の光量を調節して前記第１の数の区分されたグレイ濃淡度を該前記第１の数の区分されたグレイ濃淡度より多い第２の数の区分されたグレイ濃淡度に変更する、
ことを特徴とするディスプレイされるイメージのコントラストを制御する方法。
【手続補正書】
【提出日】平成19年10月10日(2007.10.10)
【手続補正１】
【補正対象書類名】特許請求の範囲
【補正対象項目名】全文
【補正方法】変更
【補正の内容】
【特許請求の範囲】
【請求項１】
ホスト計算機とネットワークを介して接続され、前記ホスト計算機からのアクセス要求に基づいて、ディスク装置に格納されたファイルを提供するファイル提供方法であって、
ファイルの所定の領域にあるデータ毎にアクセス権限を設定し、
アクセス元のアクセス権限を満たしている前記データを前記ディスク装置から読み出し、所定の組み合わせによって連結し、
前記連結されたデータをアクセス元に提供することを特徴とするファイル提供方法。
【請求項２】
前記所定の組み合わせを指定する識別子と、前記識別子毎のアクセス権限と、を設定し、
アクセス元のアクセス権限を満たしている前記識別子を選択し、
前記識別子によって指定された組み合わせによってデータを連結し、
前記連結されたデータをアクセス元に提供することを特徴とする請求項１に記載のファイル提供方法。
【請求項３】
前記識別子は、
前記データのファイル中のブロック位置と、
前記データの連結順序を指定するシーケンス番号と、
前記データの組み合わせを指定するストリーム番号と、
を含み、
アクセス元のアクセス権原を満たしている前記ストリーム番号を選択し、
前記ストリーム番号によって指定された組み合わせによってデータを連結し、
前記連結されたデータをアクセス元に提供することを特徴とする請求項２に記載のファイル提供方法。
【請求項４】
基本となる第１のストリーム番号と、ストリーム番号の優先順序と、を設定し、
アクセス元のアクセス権限が前記第１のストリーム番号のアクセス権限を満たしているか否かを判定し、
その後、前記優先順序に従って、アクセス元のアクセス権限が各ストリーム番号のアクセス権限を満たしているか否かを判定し、
アクセス時間、アクセス元のクライアント、アクセス元プロセス名の少なくとも一つに基づいて、前記第１のストリーム番号を設定することを特徴とする請求項３に記載のファイル提供方法。
【請求項５】
開始オフセット及び終了オフセット、又は、シーケンス番号を指定することによって、新たなストリーム番号を設定することを特徴とする請求項３に記載のファイル提供方法。
【請求項６】
ストリーム番号、開始オフセット及び終了オフセット、又は、シーケンス番号を指定することによって、前記ストリーム番号を削除することを特徴とする請求項３に記載のファイル提供方法。
【請求項７】
基本となる第１のストリーム番号と、ストリーム番号の優先順序と、を設定し、
アクセス元から基本となる第１のストリーム番号の指示があるかを判定し、
前記第１のストリーム番号を、前記指示に係るストリーム番号に変更し、
アクセス元のアクセス権限が前記第１のストリーム番号のアクセス権限を満たしているか否かを判定し、
その後、前記優先順序に従って、アクセス元のアクセス権限が各ストリーム番号のアクセス権限を満たしているか否かを判定することを特徴とする請求項３に記載のファイル提供方法。
【請求項８】
ファイルを管理するメタデータに、前記ブロック位置、前記シーケンス番号、前記ストリーム番号、及び、前記ストリーム番号毎のアクセス権限を格納することを特徴とする請求項３に記載のファイル提供方法。
【請求項９】
オフセット及び挿入データを指定することによって前記挿入データをファイルに挿入し、
前記オフセットの位置よりも後ろに格納されている既存データに対応するシーケンス番号を、前記挿入データの容量に従って変更することを特徴とする請求項３に記載のファイル提供方法。
【請求項１０】
オフセット及びデータ長を指定することによってデータを削除し、
前記オフセットと前記データ長との和を算出し、前記算出された和の位置よりも後ろに格納されている既存データのシーケンス番号を、前記データ長に従って変更することを特徴とする請求項３に記載のファイル提供方法。
【請求項１１】
ホスト計算機とネットワークを介して接続され、前記ホスト計算機からのアクセス要求に基づいて、ディスク装置に格納されたファイルを提供するファイル提供方法であって、
ファイルの連結順序、ファイルの組み合わせ、及び、前記組み合わせ毎のアクセス権限を設定し、
アクセス元のアクセス権限を満たしている前記組み合わせによって前記ファイルを連結し、
前記連結されたファイルをアクセス元に提供することを特徴とするファイル提供方法。
【請求項１２】
前記ファイル毎のアクセス権限が設定され、
アクセス元のアクセス権限を満たしている前記ファイルを前記組み合わせによって連結し、
前記連結されたファイルをアクセス元に提供することを特徴とする請求項１１に記載のファイル提供方法。
【請求項１３】
ホスト計算機と通信するネットワークインターフェースと、ディスク装置と通信するディスクインターフェースと、制御部と、を備え、前記ホスト計算機からの要求に基づいて、前記ディスク装置に格納されたファイルデータを提供するストレージ装置であって、
前記制御部は、
前記ストレージ装置のファイルの所定の領域にあるデータ毎のアクセス権限を設定し、
前記要求に係るアクセス権限を満たしている前記データを所定の組み合わせによって連結し、
前記連結されたデータを要求元に提供し、
前記データのファイル中のブロック位置と、前記データの連結順序を指定するシーケンス番号と、前記データの組み合わせを指定するストリーム番号と、前記ストリーム番号毎のアクセス権限と、を設定し、
要求元のアクセス権限を満たしている前記ストリーム番号を選択し、
前記ストリーム番号によって指定された組み合わせによってデータを連結し、
前記連結されたデータを要求元に提供することを特徴とするストレージ装置。
【手続補正書】
【提出日】平成19年6月25日(2007.6.25)
【手続補正１】
【補正対象書類名】明細書
【補正対象項目名】特許請求の範囲
【補正方法】変更
【補正の内容】
【特許請求の範囲】
【請求項１】 複数の撮像装置と記録装置を有し、少なくとも一つの前記撮像装置が画像情報と位置情報の少なくとも一方を前記記録装置へ送信し、前記記録装置は前記撮像装置から送信された情報を受信して記録することを特徴とする撮像システム。
【請求項２】 少なくとも一つの前記撮像装置は照明情報を前記記録装置へ送信することを特徴とする請求項１に記載の撮像システム。
【請求項３】 前記照明情報は複数の分光フイルタと撮像素子により検出されることを特徴とする請求項２に記載の撮像システム。
【請求項４】 前記位置情報はジャイロ素子またはＧＰＳシステムにより検出されることを特徴とする請求項１乃至３に記載の撮像システム。
【請求項５】 前記記録装置は、複数の撮像装置から送信された情報を対応させて同時に記録することを特徴とする請求項１乃至４に記載の撮像システム。
【手続補正２】
【補正対象書類名】明細書
【補正対象項目名】０００５
【補正方法】変更
【補正の内容】
【０００５】
【課題を解決するための手段】
本発明は、上記課題を達成するため、つぎの（１）〜（５）のように構成した撮像システムを提供するものである。
（１）複数の撮像装置と記録装置を有し、少なくとも一つの前記撮像装置が画像情報と位置情報の少なくとも一方を前記記録装置へ送信し、前記記録装置は前記撮像装置から送信された情報を受信して記録することを特徴とする撮像システム。
（２）少なくとも一つの前記撮像装置は照明情報を前記記録装置へ送信することを特徴とする上記（１）に記載の撮像システム。
（３）前記照明情報は複数の分光フイルタと撮像素子により検出されることを特徴とする上記（２）に記載の撮像システム。
（４）前記位置情報はジャイロ素子またはＧＰＳシステムにより検出されることを特徴とする上記（１）〜（３）のいずれかに記載の撮像システム。
（５）前記記録装置は、複数の撮像装置から送信された情報を対応させて同時に記録することを特徴とする上記（１）〜（４）のいずれかに記載の撮像システム。